(57)【要約】【課題】ノード間において二重化等の冗長化されている光伝送路に接続された光中継器において、光伝送路の2対を中継器レベルで終端することにより、少なくともノード‐中継器及び中継器‐中継器間のいずれかの光伝送路が正常であれば、ノード間通信を可能にする。【解決手段】冗長化された入力端子及び出力端子と、各入力端子への入力信号光の位相を相互に調整して合波する位相調整部と、該位相調整部からの出力信号光を所定レベルに増幅する光増幅器と、該光増幅器の出力信号光を各出力端子へ分岐する分岐部と、を備えている。この光中継器を複数設けると共に、各光中継器の入力信号光を制御信号に基づいて切り換える光スイッチを設けることにより光中継装置を構成することができる。【選択図】  図１  
2005080108.tif 000002
【特許請求の範囲】
【請求項１】
冗長化された入力端子及び出力端子と、
各入力端子への入力信号光の位相を相互に調整して合波する位相調整部と、
該位相調整部からの出力信号光を所定レベルに増幅する光増幅器と、
該光増幅器の出力信号光を各出力端子へ分岐する分岐部と、
を備えたことを特徴とする光中継器。
【請求項２】
請求項1において、
該位相調整部が、マッハ・ツェンダ干渉計であり、該分岐部が、該光増幅器からの出力信号光の波長を該入力信号光と同じ波長に戻す波長変換器と、該波長変換器の出力信号光を各出力端子へ分岐するスプリッタを備えたことを特徴とする光中継器。
【請求項３】
請求項2において、
該マッハ・ツェンダ干渉計が、共通のCW光の光源と、各入力信号光で該CW光を変調すると共に位相調整を行う冗長化された位相調整器と、各位相調整器から出力される入力信号光波長成分と変調されたCW光波長成分の内、該CW光波長成分のみを通過させる冗長化されたバンドパスフィルタと、各バンドパスフィルタの出力光を分岐させる冗長化されたスプリッタと、各スプリッタの一方の出力光を合波する合波器と、各スプリッタの他方の出力光の位相差を測定して各々が一致するように該位相調整器を制御する制御部とを備えたことを特徴とする光中継器。
【請求項４】
請求項1から3のいずれか1つに記載の光中継器を複数設けると共に、各光中継器の入力信号光を制御信号に基づいて切り換える光スイッチを設けたことを特徴とする光中継装置。
【請求項５】
請求項4において、
該制御信号は、伝送路障害を検出した該位相調整部又は対向ノードから制御線を経由して各光スイッチに与えられることを特徴とした光中継装置。
【発明の詳細な説明】
【技術分野】
【０００１】
本発明は、光中継器に関し、特にAPS（Automatic Path Switching）サービスを実現している通信ネットワークにおける交換機やルータ等のノード間の光伝送路に設置される光中継器に関するものである。
【背景技術】
【０００２】
近年、通信基盤の高速化要求に伴って光ファイバ伝送路による高速通信が可能になるとともに、通信の信頼性の要求にも応えるため、ノード間で光伝送路を二重化し片側障害発生時にも自動で切り替わり運用を継続するサービス（いわゆるASPペアサービス）が導入されるようになっている。このとき、加入者収容ノードから中継ノードまでの伝送距離が長い場合には、該当ノード間に一定の距離毎に光中継器を設置することが一般に行われている。
【０００３】
この光中継器を複数設置する場合、ノードと光中継器間および光中継器同士間の伝送路に障害が発生したときには、APSペアの内、ノード間において両系伝送路障害が発生した場合には、APSサービスが機能しなくなってしまう。
【０００４】
その理由は、従来の光中継器が、通常、一旦終端し送信側で信号を再生するという機能しか備えていないからであり、ノード−光中継器間又は光中継器同士間のAPSペアの光伝送路の一方が障害に陥った場合は、その障害状態を対向するノード又は光中継器側に中継するだけであった。
【０００５】
これを図1(2)で説明すると、ノード1000−1001間は、現用光伝送路L1と予備用光伝送路L2の二重化光伝送路(APSペアP1)で接続されており、一方の光伝送路L1において光中継器100ａ及び101ａが設置されており、また予備用光伝送路光Ｌ2には、光中継器100ｂ及び101ｂが設置されている。
【０００６】
このような構成において、今、図示のように障害T1がノード1000と光中継器100bとの間の光伝送路光L2で発生し、光中継器100aと101aとの間の光伝送路L1において障害T2が発生したような場合、ノード1000及び1001は、共に二重化光伝送路の両系障害と認識していた。すなわち、例えば光中継器100a及び100bを挟んだ光伝送路L1及びL2が共に障害状態に陥っていないときのみ、対向しているノード同士が状態を認識し合える、すなわちAPSサービスを自律的に実行できることになる。
【０００７】
このような従来技術としては、入力信号を受信変換する受信系と、該受信系からの信号を送信変換する送信系で構成されるTV中継放送機の並列運転方式において、受信系では、入力信号を局発信号で受信変換する2系の受信変換部と、その受信変換した夫々の信号を移相合成するとともに出力と成す移相合成部を配し、送信系では、2系の送信変換部と、局部発振合成部とサーキュレータ合成部を配し、局部発振合成部では2系の送信局発信号を位相同期して合成するとともにその出力を分配して上記2系の送信変換部の局発信号と成し、送信変換部では該局発信号により上記受信系からの信号を夫々送信変換し、サーキュレータ合成部では送信変換部からの信号を第1と第2のサーキュレータで受け第3のサーキュレータで合成し出力することを特徴とするTV中継放送機の並列運転方式がある（例えば、特許文献1参照）。
【特許文献１】特開昭56−776号公報
【発明の開示】
【発明が解決しようとする課題】
【０００８】
このように従来の技術においては、電気回路により二重化伝送路を終端できる機器はあるが、光中継器においては一度光電変換が必要になり伝送速度が制限されるため相応しくなく、また従来の光中継器では二重化伝送路を終端できないため、ノード間の両系障害に対しては即通信断となる課題があった。
【０００９】
従って本発明は、ノード間において二重化等の冗長化されている光伝送路に接続された光中継器において、光電変換を行わずに少なくとも入力側のいずれかの光伝送路が正常であれば、ノード間通信を可能にすることを目的とする。
【課題を解決するための手段】
【００１０】
上記の課題を解決するためには、光中継器の入力側のAPSペアの内、いずれか一方が正常であり、光中継器の出力側のAPSペアの内、いずれか一方が正常であれば、上り方向(光中継器の入力側から出力側の方向)での情報伝播を可能とすることにより、APSサービスを実行している冗長化光伝送路上の対向ノード間において、伝送路障害によりAPSペアが障害閉塞となってしまう確率を低くできることが分かる。
【００１１】
このため、本発明に係る光中継器は、冗長化された入力端子及び出力端子と、各入力端子への入力信号光の位相を相互に調整して合波する位相調整部と、該位相調整部からの各出力信号光を所定レベルに増幅する光増幅器と、該光増幅器の出力信号光を各出力端子へ分岐する分岐部と、を備えたことを特徴としている。
【００１２】
すなわち、本発明では、位相調整部が各入力端子への入力信号光の位相を調整して合波しており、一方の光伝送路に障害が発生しても、他方の光伝送路からの入力信号光を光増幅器で所定のレベルに増幅した後、この光増幅器の出力信号光を分岐部が各出力端子へ分岐して出力している。
【００１３】
これを、図1（1）で概略的に説明すると、従来例を示す同図(2)と同様に障害T1及びT2が発生したものと仮定すると、本発明の場合には、光伝送路L2に障害T1が発生しても、本発明の光中継器1_1は光伝送路L1からの入力信号光を、点線で示す如く、出力側の光伝送路L1及びL2のAPSペアP1に送出する。ただし、光伝送路L1には障害T2が発生しているので、光伝送路L2のみを経由して隣接する本発明の光中継器1_2に信号光を送り、この光中継器1_2では、さらに片系の光伝送路L2からの入力信号しかなくても、両系の光伝送路L1及びL2に対して分岐した信号光をノード1001に送ることができる。
【００１４】
このように本発明では冗長化光伝送路を光中継器レベルで終端を可能とし、以ってAPSペア伝送路の片側障害発生時にも無瞬断で光電変換なしに対向するノードへ光中継を行うことを可能にしている。
【００１５】
すなわち、従来の光中継器では、例えば運用系で障害が発生した場合には予備系に切り換えるため瞬断が発生するが、本発明では、冗長化した入力信号光を位相調整して合波し、さらに分岐させることにより、無瞬断で出力側を救済することが可能となり、従来例に比べて伝送路障害となる確率を低下させることができる。
【００１６】
なお、上記の位相調整部は、マッハ・ツェンダ干渉計であり、該分岐部が、該光増幅器からの出力信号光の波長を該入力信号光と同じ波長に戻す波長変換器と、該波長変換器の出力信号光を各出力端子へ分岐するスプリッタを備えたものとすることができる。
【００１７】
さらに上記の該マッハ・ツェンダ干渉計は、共通のCW光(コヒーレント光)の光源と、各入力信号光で該CW光を変調すると共に位相調整を行う冗長化された位相調整器と、各位相調整器から出力される入力信号光波長成分と変調されたCW光波長成分の内、該CW光波長成分のみを通過させる冗長化されたバンドパスフィルタと、各バンドパスフィルタの出力光を分岐させる冗長化されたスプリッタと、各スプリッタの一方の出力光を合波する合波器と、各スプリッタの他方の出力光の位相差を測定して各々が一致するように該位相調整器を制御する制御部で構成することができる。
【００１８】
上記の本発明の場合には、冗長化されている光伝送路の内、一方のみが障害になっていることを前提とし、両方の系統に障害が発生した場合には光中継器としての機能を発揮することはできない。
【００１９】
そこで本発明ではさらに、上記のような構成を有する光中継器を複数設けると共に、各光中継器の入力信号光を制御信号に基づいて切り換える光スイッチを設けた光中継装置を実現することにより、これを解消している。
【００２０】
すなわち、光中継装置中のいずれかの光中継器において、その入力側全光伝送路に両系障害が発生した場合でも、例えば位相調整部或いは対向するノードでこの伝送路障害を検出することにより発生される制御信号に基づいて、各光中継器に共通に設けられた光スイッチを切り換え、以って入力信号光を、適宜組合わせた光中継器を経由して後続の光中継器又はノードに送ることが可能となる。
【００２１】
また、障害が発生していなくても、複数のAPSペアの組合わせの内、所望の組合わせを上記の制御信号に基づいて選択することもできる。
【００２２】
なお、この制御信号は、保守コンソールから制御線を経由して各光スイッチに与えるようにしてもよい。
【００２３】
このようにして、全入力系統の光伝送路障害にも対応している。
【発明の効果】
【００２４】
このように本発明にかかる光中継器によれば、光伝送路のノード・中継器間或いは中継器・中継器間の片系障害発生時において無瞬断で対向する装置への光中継を行うことが可能となる。さらに本発明にかかる光中継装置によれば、両系障害発生時にでも光中継を維持することが可能となる。
【発明を実施するための最良の形態】
【００２５】
[実施例(1)：光中継器]
図2は、本発明の実施例(1)として光中継器を示したものであり、この光中継器1は、図1(1)に示した光中継器1_1又は1_2に対応するものである。
【００２６】
この実施例においては、上記の位相調整部としてマッハ・ツェンダ干渉計2を用い、このマッハ・ツェンダ干渉計2には、入力信号光を所定レベルに増幅するErドープ光ファイバ等の光増幅器7と、この光増幅器7を経由した波長変換器8及びスプリッタ9が直列接続されており、この波長変換器8とスプリッタ9とで分岐部を構成している。
【００２７】
マッハ・ツェンダ干渉計2には、冗長化例として、現用系の光伝送路L1に対応して、位相調整器21_1とバンドパスフィルタ(BPF)22_1とスプリッタ23_1との直列回路が設けられており、さらに予備系光伝送路L2に対応して位相調整器21_2とバンドパスフィルタ22_2とスプリッタ23_2との直列回路が設けられ、スプリッタ23_1と23_2は合波器24で結合されている。
【００２８】
さらに、これらの位相調整器21_1及び21_2に対して共通にレーザーダイオード3が設けられており、このレーザーダイオード3からのCW光（コヒーレント光：波長λ2）M3がスプリッタ4を経由して位相調整器21_1及び21_2に共通にポンプ光として与えられており、位相調整器21_1及び21_2はそれぞれ波長λ1の信号光M1及びM2でスプリッタ4からのCW光M3を変調し、波長λ1の入力信号光成分と波長λ2のCW光成分とが合波して出力されるようになっている。
【００２９】
そして、これらの2つの波長λ1及びλ2の成分の信号光はバンドパスフィルタ22_1及び22_2においてそれぞれ波長λ2の信号光成分のみが取り出されてスプリッタ23_1及び23_2にそれぞれ送られる。
【００３０】
スプリッタ23_1及び23_2は、一部の信号光成分のみ振幅・位相測定器5に送るとともに、その他の信号光成分を合波器24に送ることにより両系の信号光を合波して光増幅器7に送るようにしている。
【００３１】
振幅・位相測定器5に送られた信号光は、両者の位相差が測定されて制御装置6に送られ、制御装置6は、位相調整器21_1及び21_2において、波長λ1の入力信号光M1と波長λ1の入力信号光M2の位相合わせを行う。これにより、合波器24で合波されるときの両系の信号光の位相は一致するとともに増幅される形になる。なお、振幅・位相測定器5は、後述するように、障害検出を行うために信号光の振幅測定も行っている。
【００３２】
そして、このように合波器24で合波された信号光は光増幅器7において、光中継器としての所定の光増幅を行う。すなわち、光中継動作に必要な所定のレベルまで信号光を光増幅した後、分岐部を構成する波長変換器8において波長λ2の信号光から波長λ1の信号光M4に戻し、やはり分岐部を構成するスプリッタ9から波長λ1の現用信号光M5及び予備信号光M6に分岐して出力するようにしている。
【００３３】
なお、この実施例(1)においては、位相調整部としてマッハ・ツェンダ干渉計を用いているが、現用系と予備系の信号光M1，M2が互いに同じ位相で合波器24に送られ合波されるようなものであればどのようなものでもよく、その場合には、合波器24において元の波長λ1の信号光が得られるので、波長変換器8は不要となる。
【００３４】
図3は、図2に示した実施例(1)の動作例を示したもので、この場合には、予備系光伝送路L2において信号光断D1が発生した場合の動作例を示している。
【００３５】
すなわち、レーザーダイオード3からスプリッタ4を経由して位相調整器21_1及び21_
2に与えられるCW光M3のレベルは共にE3/2であり、この例では、位相調整器21_1にのみ現用系光伝送路L1から波長λ1の信号光M1(レベルE1)が与えられることになり、他方の位相調整器21_2にはスプリッタ4からのCW光(レベルE3/2)が与えられるだけである。
【００３６】
従って、位相調整器21_1からはレベルE1(波長λ１)＋レベルE3/2(波長λ2)の出力信号光がバンドパスフィルタ22_1に与えられ、位相調整器21_2からはレベルE3/2(波長λ2)の出力CW光のみがバンドパスフィルタ22_2に与えられることになる。
【００３７】
すなわち、位相調整器21_1においては、光伝送路L1からの入力信号光M1によってスプリッタ4からのCW光M3が変調され、位相調整器21_1からの出力光は、CW光M3に入力信号光M1が乗った信号光となってバンドパスフィルタ22_1に与えられることになるが、位相調整器21_2においては、予備系光伝送路L2からの信号光M2が無いので、そのままレベルE3/2のCW光M3がバンドパスフィルタ22_2に与えられることになる。
【００３８】
バンドパスフィルタ22_1においては、波長λ2のCW光M3の信号光成分を通過させ、入力信号光M1の信号光成分は通過阻止されるので、レベルE3/2変調のCW光M3の信号光成分がスプリッタ23_1に与えられることになり、バンドパスフィルタ22_2においては、波長λ2でレベルE3/2のCW光のみが入力されるので、そのまま通過して変調スプリッタ23_2へ送られる。
【００３９】
スプリッタ23_1及び23_2においては、それぞれの入力光の一部が振幅・位相測定器5に分岐されるとともに、他方の分岐出力光は合波器24に送られるが、この場合、スプリッタ23_1及び23_2の出力光は共にレベルがほぼE3/2であるので、合波器24においては、合計レベルがE3で波長がλ2の信号光に合波されて光増幅器7に送られることになる。
【００４０】
スプリッタ23_1及び23_2の一部出力光は、正常時においては、共に振幅・位相測定器5に送られ、ここで、両者の位相差が測定され、この位相差に基づいて制御装置6が位相調整器21_1と21_2との間の相互位相調整を行って位相差を無くすように働くが、この図3の例では、スプリッタ23_2の出力信号光成分は無い(点線とX印で図示)ので、スプリッタ23_1の出力信号光のみが振幅・位相測定器5に送られるが、位相差の測定ができないので、制御装置6に対しては何らの制御信号も送らない。
【００４１】
合波器24からレベルE3の出力信号光(波長λ2)が与えられた光増幅器7は、所定レベルの出力信号光を発生するように光増幅を行う。すなわち、この場合には例えばレベル2E3まで増幅された出力信号光を波長変換器8に与え、この波長変換器8においては入力した信号光の波長λ2を、入力信号光M1の波長λ1に戻してスプリッタ9に与える。
【００４２】
従ってスプリッタ9は、レベル2E3の信号光(波長λ1)を二分割し、それぞれレベルE3の現用信号光M5と予備信号光M6とに分岐して出力することになる。
【００４３】
上記の実施例では、予備系の光伝送路L2においてのみ信号光断D1が発生したが、現用系の光伝送路L1においてのみ信号光断が生じる場合も全く同様に考えることができる。
【００４４】
また、正常時においても、バンドパスフィルタ22_1及び22_2の出力レベルは共にE3/2であるので、スプリッタ23_1及び23_2を経由して合波器24で合波された信号光のレベルはほぼE3となり、一方の光伝送路において信号光断が発生した場合と同一レベルの信号光が光増幅器7に与えられることになる。
[実施例(2)：光中継装置]
【００４５】
上記の実施例(1)の場合には、一方の光伝送路L1又はL2においてのみ信号光断が発生した場合を想定し、両系の光伝送路L1及びL2が信号光断を生じた場合には、合波器24からは何らの信号光も出力されないことになる。
【００４６】
そこで、図4に示す実施例(2)の場合には、上記の実施例(1)に示した光中継器を冗長化し、これらの光中継器1a_1及び1b_1間で光スイッチにより信号光の切り換えを行うことにより、APSペアのいずれもが伝送路障害を起こした場合にも対応しようとするものである。
【００４７】
すなわち、本発明の実施例(2)として示す光中継装置10には、光中継器1a_1及び1b_1にそれぞれマッハ・ツェンダ干渉計2a及び2bを設け、マッハ・ツェンダ干渉計2aには光増幅器7aと波長変換器8aとスプリッタ9aとを直列接続し、マッハ・ツェンダ干渉計2bに対しては光増幅器7bと波長変換器8bとスプリッタ9bとを直列接続している。また、マッハ・ツェンダ干渉計2a及び2bと、これらにそれぞれ対応する二重化光伝送路L1_1,L2_1及びL1_2,L2_2との間には、これらの光伝送路を切り換えるための光スイッチ11が設けられている。
【００４８】
マッハ・ツェンダ干渉計2aは図3に示したマッハ・ツェンダ干渉計2と同様の構成を有し、符号“a”が付いている点が異なっており、同様にマッハ・ツェンダ干渉計2bにおいても、符号“b”が付いている点を除けばマッハ・ツェンダ干渉計2と同様の構成を備えている。
【００４９】
また、振幅・位相測定器5はスプリッタ23a_1及び23a_2からの出力光B1と、マッハ・ツェンダ干渉計2bにおけるスプリッタ23b_1及び23b_2からの出力光B2を入力し、これらの出力光B1，B2の位相差を測定し、制御装置6を経由して位相調整器21a_1及び21a_2に対して制御信号A1を与えると共に、位相調整器21b_1及び21b_2に対して制御信号A2を与えるようにしている。
【００５０】
この振幅・位相測定器5は、出力光B1，B2の振幅を測定することにより、現用系又は予備系の信号光断状態を検出することができる。すなわち、光伝送路障害により信号光断状態になったときには出力光B1の信号光成分が無いとして信号光断検出を行うことができる。光スイッチ制御装置12は、振幅・位相測定器5からの信号光断信号を受けるか、或いは、他の装置、例えばノード若しくは光中継器からの制御信号を受けるか、又は保守コンソールからの制御信号を受けて光スイッチに対する制御信号を受けて光スイッチ11に対する制御信号C1を発生し、光スイッチ11を切換制御することができる。
【００５１】
なお、振幅・位相測定器5は、片系の信号光が検出できなくても障害発生とは看做さず、両系の信号光が検出できないときにはじめて障害発生と看做している。
【００５２】
すなわち、図5に示す動作例のように、光伝送路L1_1及びL2_1の両系において信号光断D2及びD3が発生した場合、振幅・位相測定器5はスプリッタ23a_1,23a_2からの信号光B1に基づき、このような両系の伝送路障害を検出して、光スイッチ制御装置12にその信号光断検出信号を与えると、この光スイッチ制御装置12は光スイッチ11に対して、点線の接続経路から実線の接続経路に切り換えるように制御信号C1を与えることにより、図示のように、光伝送路L1_2からの信号光は実線で示すようにマッハ・ツェンダ干渉計2aの位相調整器21a_1に与えられ、伝送路L2_2からの信号光は、やはり実線で示すように、マッハ・ツェンダ干渉計2aの位相調整器21a_2に送られるようになる。
【００５３】
従って、位相調整器21a_1においては、スプリッタ4aからのCW光M3aが光伝送路L1_2からの信号光により変調され、且つバンドパスフィルタ22a_1に与えられることにより、波長λ2のCW光成分のみがこのバンドパスフィルタ22a_1とスプリッタ23a_1を介して合波器2aに送られることになる。
【００５４】
また、マッハ・ツェンダ干渉計2aにおいては、伝送路L2_2からの信号光が位相調整器21a_2に与えられることにより、上記と同様に、位相調整器21a_2とバンドパスフィルタ22a_2とスプリッタ23a_2を介して合波器24aに同様に送られる。
【００５５】
この状態は図2に示した実施例(1)において、位相調整器21_1及び21_2に信号光が与えられる場合と同様であり、合波器24aからはレベルE2の信号光(波長λ2)が光増幅器7に与えられ、波長変換器8a及びスプリッタ9aを介して信号光M5_1及びM6_1として分岐出力されることになる。
【００５６】
このようにして、光伝送路L1及びL2が共に信号光断状態になった場合でも、光スイッチ11を制御することで、光中継器2aを経由して現用系信号光及び予備系信号光をそれぞれ出力することができる。
【００５７】
なお、この実施例(2)において、光中継装置10の光中継器1a_1及び1b_1の内、一方の光中継器1a_1のみを用いるのは、信号光M5_1及びM6_1と信号光M5_2及びM6_2の合計で4本の信号光が出力されてしまい、2×2光中継方式に沿わなくなってしまうのを回避するためである。
[実施例(3)：光中継装置]
【００５８】
上記の図5に示した実施例(2)の場合には、光中継装置10において冗長化例として二つの光中継器1a_1及び1b_1を設けたが、図6に示す実施例(3)の場合には、ノード1000と1001との間に設けた光中継装置10_1及び10_2がそれぞれ三つの光中継器1a_1〜1c_1,1a_2〜1c_2及び光スイッチ11_1,11_2を備えており、それぞれAPSペアP1〜P3に接続されている点が異なっている。
【００５９】
このような実施例(3)の動作例(1)において、図示のとおりAPSペアP2の一方の光伝送路において障害T1が発生した場合、光中継装置10_1においてはAPSペアP1(光伝送路L1_1,L2_1)の信号光は正常であるので、光スイッチ11_1を経由して光中継装置1a_1で両系の信号光の合波分波Gを行って出力し、APSペアP2(光伝送路L1_2,L2_2)に対する光中継器は、一方の光伝送路が障害が発生しているので、他方の正常な光伝送路の信号光に対して合波分波Gを行って出力し、さらにAPSペアP3(光伝送路L1_3,L2_3)はAPSペアP1と同様に両系共正常であるので、両系の信号光に対して合波分波Gを行って信号光を出力している。
【００６０】
そして、図示のように、APSペアP1において、光中継装置10_1と10_2との間においても障害T2が発生している場合、合波分波Gにより光中継装置1a_1から出力された信号光は光中継装置10_2における光中継器1a_2において片系の信号光による合波分波Gによって出力されノード1001に送られる。
【００６１】
それ以外の光伝送路は正常であるので、光中継装置10_1において片系の信号光による合波分波Gにより光中継装置1b_1から出力された信号光、及び両系の信号光による合波分波Gにより光中継装置1c_1から出力された信号光は共に光中継装置10_2において正常な両系の信号光による合波分波Gを光中継装置1b_2及び1c_2で行ってノード1001に出力するようにしている。
【００６２】
図7に示す実施例(3)の動作例(2)の場合には、まずノード1000と光中継装置10_1との間でAPSペアP2が共に障害T1及びT2を発生した場合を想定している。この場合には光中継装置10_1においてAPSペアP1における両系の信号光及びAPSペアP3における両系の信号光は共に正常であるので光中継器1a_1及び1c_1で合波分波Gを受けて出力されることになるが、APSペアP2においては、光中継器1b_1で両系の入力信号光断を検出する。
【００６３】
これは、図5で示したように、振幅・位相測定器5によって検出される(ステップS1)。そして、このようにして両系入力信号光断を検出すると、光中継装置10_1においては、光スイッチ制御装置12から保守インタフェース(制御線)IFに対して、両系入力断の信号(1)及び(2)をノード1000並びに光中継装置10_2及びノード1001に対して通知する(ステップS2)。
【００６４】
この通知(1)を受けたノード1000は、ノード1000から光中継装置10_1以前が伝送路障害として認識できることとなり(ステップS3)、ノード1001においては、光中継装置10_2以降が伝送路障害と認識できることになる(ステップS4)。
【００６５】
なお、この図7の動作例(2)の場合も、図6と同様に光スイッチ11_1を制御して全APSペアP1〜P3を有効に切換接続できることは言うまでもない。
【００６６】
図8に示す実施例(3)の動作例(3)の場合には、図7と同様のシステム構成例において、光伝送路L1_2及びL2_2に同様にそれぞれ障害T1及びT2が同様に発生した場合、光中継装置10_1は、ノード1000からその制御信号(1)を受けることも可能であり、この場合には光スイッチ制御装置12_1を経由して光スイッチ11_1が図示のように切り換え制御を受ける。
【００６７】
すなわち、光伝送路L1_1からの信号光は光スイッチ11_1を経て光中継器1a_1に与えられ、片系の信号光の合波分波Gにより出力される。光伝送路L2_1からの信号光は、光スイッチ11_1を経由して、障害が起きた光伝送路L1_2,L2_2に対応した光中継器1b_1の一方の信号光として切り換え入力される。光中継器1b_1の他方の入力信号光としては光伝送路L1_3からの信号光が与えられて、光中継器1b_1からは両系の信号光の合波分波Gにより出力されることになる。
【００６８】
さらに、光伝送路L2_3からの信号光は対応する光中継器1c_1に入力されて、片系の信号光合波分波Gにより光伝送路L1_3,L2_3の双方に信号光を出力することになる。
【００６９】
そして、光中継装置10_1及び10_2の間において光伝送路L1_1に障害T3が発生している場合、光中継器1a_1で合波分波Gされた出力信号光の一方のみが光中継装置10_2に送られ、光スイッチ11_2を経由して光中継器1a_2により片系の信号光合波分波Gを受けてノード1001に出力される。
【００７０】
光中継装置10_1からのその他の出力信号光は正常に光中継装置10_2に送られてそれぞれ光中継器1b_2及び1c_2において両系の信号光合波分波Gを受けてノード1001に出力されることになる。
【００７１】
なお、このようにノード1000からの制御信号(1)による他、保守コンソールMCからの制御信号(2)〜(4)を使って光スイッチ11_1又は11_2を切換制御しても同様の効果が得られる。
【００７２】
図9に示す実施例(3)の動作例(4)においては、ノード1000と光中継装置10_1との間に障害が発生していないが、光中継器1b_1から光中継器1b_2への光伝送路L1_2,L2_2の双方が障害T1及びT2を発生した場合を想定している。この場合には光中継装置10_2における光中継器1b_2において両系入力断を検出し(ステップS11)、これに応じて光スイッチ制御装置12_2から両系入力断を通知することになる(ステップS12)。
【００７３】
この結果、制御信号(1)が他の中継装置又はノードに送られることにより、ノード1000においては、ノード1000から光中継装置10_1以前が伝送路障害と認識することとなり(ステップS13)、ノード1001においては光中継装置10_1以降が伝送路障害であると認識できることになる(ステップS14)。このような中継器間での両系障害発生時はノード側でAPSペアを切り替えても回避や、伝送路リソース有効利用はできないため、この後のリアクションとしては中継器間の予備伝送路対に切替を行うことになる。
【００７４】
すなわち、光中継装置10_1の光スイッチ11_1は切替指示をノード1000又は保守コンソールMCから光スイッチ制御装置12_1を介して受信し(ステップS15)、障害に係るAPSペアP2を予備の光中継器1d_１に導くように切替を行う。
【００７５】
同時に、光中継装置10_2の光スイッチ11_2も切替指示をノード1000又は保守コンソールMCから光スイッチ制御装置12_2を介して受信し（ステップS16）、光中継装置10_1の光中継器1d_1からの入力信号光を、元のAPSペアP2に対応する光中継器1b_2に与えるように切替を行う。
【００７６】
なお、両系入力断の通知(ステップS12)は保守コンソールMCに対しての制御信号(2)を送ってもよく、或いはノード1001に対する制御信号(3)となっても構わない。
【００７７】
（付記１）
冗長化された入力端子及び出力端子と、
各入力端子への入力信号光の位相を相互に調整して合波する位相調整部と、
該位相調整部からの出力信号光を所定レベルに増幅する光増幅器と、
該光増幅器の出力信号光を各出力端子へ分岐する分岐部と、
を備えたことを特徴とする光中継器。
【００７８】
（付記２）上記の付記1において、
該位相調整部が、マッハ・ツェンダ干渉計であり、該分岐部が、該光増幅器からの出力信号光の波長を該入力信号光と同じ波長に戻す波長変換器と、該波長変換器の出力信号光を各出力端子へ分岐するスプリッタを備えたことを特徴とする光中継器。
【００７９】
（付記３）上記2において、
該マッハ・ツェンダ干渉計が、共通のCW光の光源と、各入力信号光で該CW光を変調すると共に位相調整を行う冗長化された位相調整器と、各位相調整器から出力される入力信号光波長成分と変調されたCW光波長成分の内、該CW光波長成分のみを通過させる冗長化されたバンドパスフィルタと、各バンドパスフィルタの出力光を分岐させる冗長化されたスプリッタと、各スプリッタの一方の出力光を合波する合波器と、各スプリッタの他方の出力光の位相差を測定して各々が一致するように該位相調整器を制御する制御部とを備えたことを特徴とする光中継器。
【００８０】
（付記４）上記の付記1〜3のいずれか1つに記載の光中継器を複数設けると共に、各光中継器の入力信号光を制御信号に基づいて切り換える光スイッチを設けたことを特徴とする光中継装置。
【００８１】
（付記５）上記の付記4において、
該制御信号は、伝送路障害を検出した該位相調整部又は対向ノードから制御線を経由して各光スイッチに与えられることを特徴とした光中継装置。
【００８２】
（付記６）上記の付記4において、
該制御信号は、保守コンソールから制御線を経由して各光中継器の光スイッチに与えられることを特徴とした光中継装置。
【図面の簡単な説明】
【００８３】
【図１】本発明と従来技術を比較したブロック図である。
【図２】本発明の実施例(1)として光中継器の構成例を示したブロック図である。
【図３】図2の動作例を示したブロック図である。
【図４】本発明の実施例(2)として光中継装置の構成例を示したブロック図である。
【図５】図4の動作例を示したブロック図である。
【図６】本発明の実施例(3)として光中継器を三つ備えた光中継装置の動作例(1)を示したブロック図である。
【図７】本発明の実施例(3)として光中継器を三つ備えた光中継装置の動作例(2)を示したブロック図である。
【図８】本発明の実施例(3)として光中継器を三つ備えた光中継装置の動作例(3)を示したブロック図である。
【図９】本発明の実施例(3)として光中継器を三つ備えた光中継装置の動作例(4)を示したブロック図である。
【符号の説明】
【００８４】
1,1_11_2,1a_1〜1c_1,1a_2〜1c_2  光中継器
2,2a,2b  マッハ・ツェンダ干渉計
3,3a,3b  レーザーダイオード
4,4a,4b,23_1,23_2,23a_1,23a_2,23b_1,23b_2,9,9a,9b  スプリッタ
21_1,21_2,21a_1,21a_2,21b_1,21b_2  位相調整器
22_1,22_2,22a_1,22a_2,22b_1,22b_2  バンドパスフィルタ(BPF)
24,24a,24b  合波器
7,7a,7b  光増幅器
8,8a,8b  波長変換器
10,10_1,10_2  光中継装置
11,11_1,11_2  光スイッチ
12,12_1,12_2  光スイッチ制御装置
5  振幅・位相測定器
6  制御装置
L1,L1_1,L1_2  現用(予備)系光伝送路
L2,L2_1,L2_2  予備(現用)系光伝送路
1000,1001  ノード（交換機、ルータ）
IF  保守インタフェース(制御線)
図中、同一符号は同一又は相当部分を示す。
【図１】
2005080108.tif 000003
【図２】
2005080108.tif 000004
【図３】
2005080108.tif 000005
【図４】
2005080108.tif 000006
【図５】
2005080108.tif 000007
【図６】
2005080108.tif 000008
【図７】
2005080108.tif 000009
【図８】
2005080108.tif 000010
【図９】
2005080108.tif 000011